(57)【要約】【課題】複数枚のパネルを互いに連結して構成されるパーティションの一部に扉を収納した扉付きパーティションユニットにおいて、パーティションの組み立てに要するコストを削減する。【解決手段】互いに連結されてパーティションを構成する複数枚のパネル１と、間隔を隔てて配置される２枚のパネル１、１の間に配置され、引き戸式に開閉自在な扉２と、扉２の閉鎖側に位置するパネル１に接合される縦枠３と、縦枠３と扉２の開放側に位置するパネル１に接合される上枠４とからパーティションユニットを構成し、隣接する複数枚のパネル１、１の上端間と下端間にそれぞれ連結部材５を接合し、扉２を上枠４に支持させたまま開閉自在とする。【選択図】図１
2007198041.tif 000002
【特許請求の範囲】
【請求項１】
互いに連結されてパーティションを構成する複数枚のパネルと、間隔を隔てて配置される２枚のパネルの間に配置され、引き戸式に開閉自在な扉と、この扉の閉鎖側に位置するパネルに接合される縦枠と、この縦枠と前記扉の開放側に位置するパネルに接合される上枠とを備え、隣接する前記複数枚のパネルの上端間と下端間にはそれぞれ連結部材が接合され、前記扉は前記上枠に支持されたまま開閉自在であることを特徴とする扉付きパーティションユニット。
【請求項２】
互いに連結されてパーティションを構成する複数枚のパネルと、間隔を隔てて配置される２枚のパネルの間に配置され、開き戸式に開閉自在な扉と、この扉の両側に位置するパネルに接合される縦枠と、この両縦枠に接合される上枠とを備え、隣接する前記複数枚のパネルの上端間と下端間にはそれぞれ連結部材が接合され、前記扉はその吊り元側の縦枠に支持されたまま開閉自在であることを特徴とする扉付きパーティションユニット。
【請求項３】
前記連結部材は隣接する複数枚のパネルに跨り、各パネルの上端と下端のそれぞれに形成された凹部に配置され、前記連結部材の本体部が前記パネルの前記凹部に嵌合し、前記連結部材の挿通孔を貫通するねじが前記パネル中に螺入して前記隣接する複数枚のパネルが連結されていることを特徴とする請求項１、もしくは請求項２に記載の扉付きパーティションユニット。
【請求項４】
隣接する前記複数枚のパネル間に柱部材が配置されていることを特徴とする請求項１乃至請求項３のいずれかに記載の扉付きパーティションユニット。
【発明の詳細な説明】
【技術分野】
【０００１】
本発明は複数枚のパネルを互いに連結して構成されるパーティションの一部に扉を収納した扉付きパーティションユニットに関するものである。
【背景技術】
【０００２】
複数枚のパネルを連結して構成されるパーティションの一部に引き戸や開き戸等の扉を開閉自在に収納する場合、扉が開閉する領域には扉を支持しながら、扉の開閉を案内する開口枠を配置することが必要になる（特許文献１、２参照）。
【０００３】
【特許文献１】特開２００４−３１６０８５号公報（請求項１、段落００２１〜００３１、図１〜図３）
【特許文献２】特開２００５−２９０８７８号公報（段落００２１〜００２９、図１〜図８）
【発明の開示】
【発明が解決しようとする課題】
【０００４】
パネルは互いに連結されることによりパーティションを構成するが、特許文献１、２ではパーティションの配置位置の全長に亘って横枠（上枠）を敷設すると共に、横枠の長さ方向に間隔を隔てて支柱を立設し、横枠と支柱によって区画された領域にパネルを差し込むことによりパネルを連結し、パネルの自立性を確保している。
【０００５】
横枠をパーティションの全長に敷設する関係から、この横枠を、扉を支持するための開口枠の一部として使用することになるが、パネルを自立させるためにパーティションの全長に亘って横枠を敷設することが必要となっているため、横枠（枠材）の使用量が膨大になり、パーティションの組み立てに要するコストが上昇する。
【０００６】
本発明は上記背景より、パーティションの組み立てに要するコストを削減することが可能な扉付きパーティションユニットを提案するものである。
【課題を解決するための手段】
【０００７】
請求項１に記載の発明の扉付きパーティションユニットは、互いに連結されてパーティションを構成する複数枚のパネルと、間隔を隔てて配置される２枚のパネルの間に配置され、引き戸式に開閉自在な扉と、この扉の閉鎖側に位置するパネルに接合される縦枠と、この縦枠と前記扉の開放側に位置するパネルに接合される上枠とを備え、隣接する前記複数枚のパネルの上端間と下端間にそれぞれ連結部材が接合され、前記扉が前記上枠に支持されたまま開閉自在であることを構成要件とする。
【０００８】
連結部材は隣接する複数枚のパネルの上端間と下端間に跨って接合され、パネルの上下で対になることで、連結したパネルを互いに拘束し合う。隣接する複数枚のパネルは上下で対になる連結部材によって上端と下端から挟み込まれ、連結部材が各パネルに接合されることで、連結状態においてパネルの上端と下端が相対移動に対して安定し、自立性を確保する。
【０００９】
複数枚のパネルが連結部材によって自立性を確保できることで、複数枚のパネルからパーティションを組み立てる上で、全パネルを連結するための横枠（上枠）を敷設する必要がない。この結果、パーティションの全長に横枠（上枠）を敷設する場合、あるいは横枠を敷設した上で上下の横枠間に支柱を立設する場合よりパーティションの構成要素が削減され、パーティションの組み立てに要するコストが低減され、併せてパーティション組み立ての作業効率が向上する。
【００１０】
連結部材は具体的には請求項３に記載のように隣接する複数枚のパネルに跨り、各パネルの上端と下端のそれぞれに形成された凹部に配置され、連結部材の本体部がパネルの凹部に嵌合する。更に連結部材の挿通孔を貫通するねじがパネル中に螺入することにより隣接する複数枚のパネルが連結される。連結部材は本体部の片面に形成された突起において各パネルの上端と下端のそれぞれに形成された嵌入孔内に嵌入した状態で、本体部においてパネルの凹部に嵌合することもある。
【００１１】
請求項３では連結部材が本体部においてパネルの凹部に嵌合することで、連結部材の上下いずれかの面がパネルに接触すると共に、連結部材の側面がパネルに対してパネルの幅方向に係合する形になるため、連結部材がパネルに接することによる摩擦力に加え、隣接するパネル間でせん断力の伝達が可能になり、隣接するパネルは連結部材によって幅方向の移動に対して互いに拘束されることになる。
【００１２】
連結部材の本体部の片面に突起が形成された場合には、突起がパネルに係合することによってもパネルは連結部材に幅方向に係合することになるが、請求項３では連結部材の本体部が幅方向両側面においてパネルの凹部内で係合することで、突起のみが係合する場合より水平方向に係合する面積（水平投影面積）が増大するため、係合による隣接するパネルの拘束効果が突起のみの場合より高い。また連結部材は複数枚のパネルに跨ったときに上下で対になることで、パネルを拘束する効果を発揮するため、パネルの幅方向の安定性を得ることが可能となる。
【００１３】
連結部材がパネルに対する拘束効果を発揮することで、パネルが組み立てられた状態での外力に対するパネルの一定の安定性が確保される。ここでの安定性とは、隣接するパネルが連結された状態において個々のパネルが無秩序に挙動せず、転倒しにくくなることを言う。隣接するパネルがＴ字形や十字形等のように複数の方向に組み合わせられる場合には、複数枚のパネルは連結部材によって連結されることのみで、連結された状態での転倒に対する安定性を獲得することになる。
【００１４】
連結部材の形状はパネルの連結数に応じて相違するものの、連結部材がパネルの上下で対になることで、パネルの上端と下端に兼用可能となる。従って１種類の連結部材を用意すればパネルを上下において連結することができるため、連結部材の形態が上下で異なる場合より部品数が削減され、部品管理の単純化と製作コストの節減が図られる。連結部材の本体部の形状は２枚のパネルを同一線上で連結する場合にはＩ形をし、直交させて連結する場合にはＬ形をする。３枚のパネルを連結する場合は例えばＴ形に、４枚のパネルを連結する場合は例えば十字形にそれぞれ形成される。
【００１５】
連結部材が複数枚のパネルを連結した状態での、パネルの高さ調整は連結部材本体部の中心を挟んだ両側位置の、本体部の突起を外した位置に、アジャスタが接続されるためのねじ孔を形成することで対応可能になる。ねじ孔にはアジャスタの軸部が貫通、または螺合する。この場合、ねじ孔が本体部の中心を挟んだ位置に形成されることで、１枚の連結部材に対して２個のアジャスタが接続され、連結された状態にある各パネルの高さを各アジャスタが調整することになる。本体部の中心とは、本体部の長さ方向の中心、または面積の中心を言う。
【００１６】
請求項２に記載の扉付きパーティションユニットは、互いに連結されてパーティションを構成する複数枚のパネルと、間隔を隔てて配置される２枚のパネルの間に配置され、開き戸式に開閉自在な扉と、この扉の両側に位置するパネルに接合される縦枠と、この両縦枠に接合される上枠とを備え、隣接する前記複数枚のパネルの上端間と下端間にそれぞれ連結部材が接合され、前記扉がその吊り元側の縦枠に支持されたまま開閉自在であることを構成要件とする。
【００１７】
この場合も隣接する複数枚のパネルが、上下で対になる連結部材によって上端と下端から挟み込まれ、連結部材が各パネルに接合されることで、連結状態で安定し、自立性を確保し得る。複数枚のパネルが連結部材によって自立性を確保できることで、パーティションを組み立てる上で、全パネルを連結するための横枠（上枠）を敷設する必要がない。従ってパーティションの全長に横枠（上枠）を敷設する場合よりパーティションの構成要素が削減され、パーティションの組み立てに要するコストが低減され、パーティション組み立ての作業効率が向上する。
【発明の効果】
【００１８】
隣接する複数枚のパネル間に跨る連結部材が各パネルに接合されることによりパネルを自立させることができるため、複数枚のパネルからパーティションを組み立てる上で、全パネルを連結するための横枠（上枠）を敷設する必要がない。この結果、パネルを連結してパーティションを組み立てる場合の構成要素が削減されるため、パーティションの組み立てに要するコストを低減することができる。
【発明を実施するための最良の形態】
【００１９】
以下、図面を用いて本発明を実施するための最良の形態を説明する。
【００２０】
図１は互いに連結されてパーティションを構成する複数枚のパネル１と、間隔を隔てて配置される２枚のパネル１、１の間に配置され、引き戸式に開閉自在な扉２と、扉２の閉鎖側に位置するパネル１に接合される縦枠３と、縦枠３と扉２の開放側に位置するパネル１に接合される上枠４とを備えた扉付きパーティションユニットの組み立て例を示す。扉２は上枠４に支持されたまま開閉自在となる。
【００２１】
パネル１は幅方向両側の縦框部分（縦框に相当する部分を含む）を除き、または縦框部分を含め、主として木材チップ等を主原料とする木質系の材料から製作され、縦枠３と上枠４も同様の材料から製作される。
【００２２】
複数枚のパネル１の連結例を示す図１４〜図１７のように隣接する複数枚のパネル１の上端間と下端間にはそれぞれ連結部材５、５が接合され、複数枚のパネル１は上下の連結部材５、５によって連結状態での安定性を確保する。
【００２３】
パーティションは複数枚のパネル１を図１４に示すように直線状に、または図１５〜図１７に示すようにＬ字状やＴ字状、または十字状に交差させながら配置し、パネル１の連結部に全パネル１に跨るように連結部材５を配置し、連結部材５を各パネル１にねじ６によって接合することにより組み立てられる。
【００２４】
図１４等に示すようにパネル１の上端と下端の幅方向端面寄りには連結部材５が嵌合する凹部１ａが形成され、凹部１ａの一部に、連結部材５の本体部５０に形成された挿通孔５ｂを貫通するねじ６が螺入する雌ねじ孔１ｂが形成されている。凹部１ａの一部にはまた、連結部材５の片面に形成された突起５ａが嵌入する嵌入孔１ｃ、及び連結部材５のねじ孔５ｃに螺合し、パネル１の高さを調整するアジャスタ７が螺入する雌ねじ孔１ｄが形成されている。
【００２５】
連結部材５は図１４等に示すようにパネル１の上端と下端に形成された凹部１ａに嵌合し得る平坦な本体部５０に、この本体部５０の片面に突設され、パネル１の凹部１ａに形成された嵌入孔１ｂに嵌入し得る複数個の突起５ａを備え、本体部５０の突起５ａを外した位置に、図１４に示すねじ６が挿通、もしくは螺入するための挿通孔５ｂが形成される。連結部材５は例えば鋼やアルミニウム合金等の金属、または硬質の合成樹脂等から成型され、上下を反転させることで、パネル１の上端と下端のいずれにも兼用される。
【００２６】
連結部材５の本体部５０にはまた、図８、図１８に示すアジャスタ７の、雄ねじが切られた軸部７１が貫通、または螺合するねじ孔５ｃが形成される。ねじ孔５ｃは本体部５０の中心を挟んだ位置の、本体部５０の突起５ａを外した位置に形成される。パネル１の高さ調整は図８に示すようにパネル１の下端に螺入するアジャスタ７のパネル１への螺入長さを調整することにより行われる。
【００２７】
図８はアジャスタ７の軸部７１が連結部材５のねじ孔５ｃに螺合しながら、パネル１の下端に螺入した様子を示している。図８では２枚のパネル１、１が同一線上で連結されたときに、パネル１が起立した状態での安定性を確保するために、パネル１の幅方向片側に安定脚８を配置した様子も示している。安定脚８はパネル１の幅方向両側に配置されることもある。
【００２８】
パネル１の下端にアジャスタ７が接続されたとき、アジャスタ７は床面に対するパネル１の垂直性等を調整しながら、パネル１を床面に支持させる機能を有する。このことから、図面では連結された複数枚のパネル１の幅方向端部寄りの位置にアジャスタ７が接続されるよう、連結部材５の中心に近い位置にねじ孔５ｃを形成し、端部寄りの位置に挿通孔５ｂを形成している。この場合、アジャスタ７がパネル１の端部寄りに位置することで、アジャスタ７がパネル１を支持したときのパネル１の鉛直精度と安定性が高まる利点がある。
【００２９】
図１４は２枚のパネル１、１が直線状に配列する部分において、２枚のパネル１、１を連結部材５によって連結した様子を示す。パネル６は上下対称な形に形成され、上端の凹部１ａと下端の凹部１ａは同一形状をし、同一の連結部材５の本体部５０がパネル１の上端と下端のいずれにも嵌合する。
【００３０】
図１５は２枚のパネル１、１が平面上、直交して連結される部分において、２枚のパネル１、１を連結部材５によって連結した様子を示す。ここで使用される連結部材５の本体部５０はＬ形の形状をする。
【００３１】
２枚のパネル１、１を直交させて配置する場合、一方のパネル１を他方のパネル１に突き合わせる場合以外、２枚のパネル１、１の幅方向の端面間に空隙が生ずることから、この空隙を埋め、２枚のパネル１、１を連続させるために、２枚のパネル１、１間には図１８に示す柱部材９が配置される。この柱部材９が配置される分、図１５に示す連結部材５の全長は図１４に示す連結部材５を単純に屈曲させた形より柱部材９の平面積分、大きくなる。
【００３２】
図１６は３枚のパネル６が平面上、互いに直交して連結される部分において、３枚のパネル６を連結部材５によって連結した様子を示す。ここで使用される連結部材５の本体部５０はＴ形の形状をする。図１５の場合と同様にパネル１の端部が重ならないように、３枚のパネル１を直交させて配置する場合にも、３枚のパネル１の幅方向の端面間に空隙が生ずるため、この空隙に３枚のパネル１を連続させるための柱部材９が配置される。
【００３３】
図１７は４枚のパネル１が平面上、互いに直交して連結される部分において、４枚のパネル１を連結部材５によって連結した様子を示す。ここで使用される連結部材５の本体部５０は十字形の形状をする。この場合にも、互いに直交する２枚のパネル１の幅方向の端面間に空隙が生ずるため、この空隙に、４枚のパネル１を連続させるための柱部材９が配置される。
【００３４】
柱部材９は図１８に示すように柱部材９の対向する側面間を貫通して形成された貫通孔９ａを貫通、または螺入するねじがパネル１の幅方向の端面に螺入することによりパネル１に接合される。柱部材９が接合されるパネル１の端面にはねじが螺入する雌ねじ孔１ｅが形成されている。柱部材９の上端と下端には連結部材５の隅角部が嵌合する凹部９ｂが形成され、凹部９ｂに、連結部材５の突起５ａが嵌入する嵌入孔９ｃが形成される。
【００３５】
柱部材９はそれを挟む複数枚のパネル１の内、いずれか１枚のパネル１に確実に接合されれば十分であることから、２方向の側面間の内、いずれか一方の側面間に複数個の貫通孔９ａが形成され、直交する方向の側面間にはパネル１のいずれかの雌ねじ孔１ｅに合致する１個の貫通孔９ａのみが形成されている。
【００３６】
図１に示すパーティションユニットの扉２は引き戸であるから、図１、図６に示すように扉２の閉鎖位置を挟んで両側に位置するパネル１、１は同一面内に配置され、扉２は図６、図７に示すように厚さ方向にはパネル１と並列して配置される。
【００３７】
間隔を隔てる２枚のパネル１、１は図１に示すように扉２が閉鎖したときの位置に開口部１０が確保されるように、開口部１０位置に扉２の幅分の間隔を隔てて配置され、開口部１０を挟んだ２枚のパネル１、１の内、扉２の閉鎖側寄りのパネル１の端面に、扉２の戸当たりを兼ねる縦枠３が接合される。閉鎖側とは、扉２が開放位置から閉鎖するときに向かう側を言う。
【００３８】
縦枠３は図３に示すように例えばパネル１の端面に突き合わせられ、縦枠３を貫通するねじ１１がパネル１に螺入することによってパネル１に接合される。縦枠３はまた、上枠４に接合されることにより、縦枠３に対向するパネル１と共に上枠４を支持する。図面では縦枠３を扉２の閉鎖側にのみ配置しているが、扉２が開放するときの開放位置を規制するために、開放側にも配置することがある。その場合も縦枠２はパネル１の端面に接合される。
【００３９】
図面では扉２の開放側に縦枠３を配置していないことから、開放位置で扉２を停止させるために、図９−（ｃ）に示すストッパ１７が使用される。ストッパ１７は後述する上枠４の溝４ｄ内において、扉２の開放時に扉２の開放側の端面が衝突する位置に固定され、扉２が閉鎖位置から開放位置へ移動したときに扉２を停止させながら、衝撃を緩和する働きをする。
【００４０】
上枠４は図１〜図３に示すように扉２の閉鎖位置（開口部１０）を挟んで配置される２枚のパネル１の内、扉２の開放側に位置するパネル１の上端に載置された状態で、そのパネル１と縦枠３に接合されることにより縦枠３とパネル１に支持される。上枠４は扉２の閉鎖側に位置するパネル１に接合された縦枠３と、扉２の開放側に位置するパネル１に接合されることで、開口部１０の幅を一定に保持する役目を持つ。図２は図１における扉２が配置される開口部１０に扉２が配置されていない様子を示し、図３は図２に示すパネル１と縦枠３、及び上枠４の各連結の様子を示している。
【００４１】
上枠４は図３、図５に示すようにパネル１には上枠４を貫通し、パネル１に到達するねじ１２により接合され、縦枠３には縦枠３を貫通し、上枠４に到達するねじ１３により接合される。
【００４２】
上枠４の、縦枠３との接合部分にはナット１４が固定され、このナット１４に縦枠３を貫通するボルト等のねじ１３が螺入する。上記の通り、上枠４は主として木質系の材料から製作されていることから、図面では上枠４に上端からナット１４が埋め込まれる挿入孔４ａを形成しておき、この挿入孔４ａに円柱状のナット１４を挿入、もしくは螺入し、固定している。このナット１４は中実断面の円柱に、その材軸に直交する方向から雌ねじ孔が形成された形をし、上端にはドライバー等の工具の先端が差し込まれるための溝が形成されている。
【００４３】
図面では上枠４の端面を縦枠３の上端部分に突き合わせた状態で、縦枠３が接合されたパネル１の上方において縦枠３を貫通するねじ１３を上枠４に螺入させることにより上枠４を縦枠３に接合していることから、縦枠３の上部がパネル１の上端より上方に突出している。一方、扉２がパネル１と同一の高さ寸法を有する場合に、パネル１の上端と扉２の上端を揃えて上枠４の下に扉２を走行自在に配置したときに、上枠４と扉２が干渉（接触）しないようにする上では、上枠４の下端と扉２の上端との間にある程度のクリアランスを確保することが必要になる。
【００４４】
扉２とパネル１の高さ寸法が等しい場合には、上枠４の下端と扉２の上端との間にクリアランスを確保することに伴い、上枠４の下端と、上枠４が接合されるパネル１の上端との間に隙間が生ずることになる。この隙間を塞ぐために、部品図である図９−（ａ）に示すように上枠４の下端の、パネル１が接合される区間にはパネル１との間の隙間を埋める垂下部４ｂが形成されるか、一体化させられる。
【００４５】
垂下部４ｂはパネル１と同一面内に位置し、上枠４のパネル１への接合時に、図６のＢ−Ｂ線断面図である図７−（ｂ）に示すように垂下部４ｂの下端がパネル１の上端に接触、または密着する。上枠４は垂下部４ｂがパネル１に接触等した状態でパネル１に接合される。
【００４６】
上枠４下端の、垂下部４ｂに連続する開口部１０の区間には、閉鎖したときの扉２の上端との間の隙間を塞ぐための垂下部４ｃが形成されるか、一体化させられる。図９−（ａ）に示すように垂下部４ｃの高さは垂下部４ｂの高さより大きく、垂下部４ｃは図６のＡ−Ａ線断面図である図７−（ａ）に示すように閉鎖した扉２と並列し、パーティションの外周側からの視線を遮断する。垂下部４ｂと垂下部４ｃは同一線上に位置するが、上枠４が接合されるパネル１の端面に接合される、後述の方立１８の位置では不連続になっている。
【００４７】
上枠４の下面にはまた、扉２を走行させるためのローラ１５ａが挿入される溝４ｄが形成され、溝４ｄに、ローラ１５ａを支持するレール４ｅが固定される。図面では軸の両側に車輪を有するローラ１５ａを使用していることに伴い、レール４ｅを溝形に形成しているが、ローラ１５ａの形態とレール４ｅの形状はこれには限定されない。
【００４８】
扉２の上端には上枠４に支持されたまま走行するためのローラ１５ａを有する、図９−（ｂ）に示すローラ部材１５が接続される。ローラ部材１５は上枠４のレール４ｅ上を転動するローラ１５ａと、ローラ１５ａを支持する支持部１５ｂを有し、図４、図７−（ａ）に示すように支持部１５ｂにおいて扉２の幅方向両側の上部に固定される。
【００４９】
上枠４が固定されたパネル１の下端の、扉２が走行する側の面には扉２の走行時の厚さ方向への移動を拘束する、図９−（ｄ）に示す案内部材１６が固定される。扉２の厚さ方向の移動を拘束することができれば、案内部材１６の形態、及び案内部材１６と扉２との関係は問われないが、図面では図４、図７−（ａ）に示すように扉２の下端に案内溝２ａを形成する一方、案内溝２ａに嵌入する案内部１６ｂを有する形に案内部材１６を形成している。この場合、案内部材１６はパネル１に固定される固定部１６ａと、固定部１６ａに固定、もしくは連結される案内部１６ｂから構成される。
【００５０】
図面では案内部材１６の固定部１６ａをＺ字形に屈曲させた形に形成し、その一部に案内部１６ｂを扉２の厚さ方向に位置調整自在に連結している。案内部１６ｂの位置調整は例えば案内部１６ｂに螺合しているねじ１６ｃの、固定部１６ａへの螺合長さを変えることにより行われる。
【００５１】
扉２は図７−（ａ）に示すように上端部に接続されたローラ部材１５のローラ１５ａが上枠４のレール４ｅ上に乗り、下端部の案内溝２ａに案内部材１６の案内部１６ｂが差し込まれた状態で使用され、案内部１６ｂに厚さ方向の移動を拘束されながら、上枠４に沿って往復動する。扉２はその閉鎖時に開口部１０を塞ぎ、開放時に上枠４に接合されたパネル１に重なり、開口部１０を開放させる。
【００５２】
パネル１の幅方向の端面には互いに対向して連結されるための、または前記のように端面間に配置される柱部材９が嵌合するための溝等が高さ方向に沿って形成されることから、上枠４が接合されるパネル１の開口部１０側の端面には図２、図３に示すようにその端面の見栄えをよくするための方立１８が接合される。方立１８は縦枠３をパネル１に接合したねじ１１と同種のねじ１１により接合され、扉２が閉鎖したときに、扉２との重なり代を確保する役目も持つ。
【００５３】
図１０は互いに連結されてパーティションを構成する複数枚のパネル１と、間隔を隔てて配置される２枚のパネル１、１の間に配置され、開き戸式に開閉自在な扉２と、扉２の両側に位置するパネル１、１に接合される縦枠３、３と、両縦枠３、３に接合される上枠４とを備え、扉２がその吊り元側の縦枠３に支持されたまま開閉自在である扉付きパーティションユニットの組み立て例を示す。
【００５４】
この場合、扉２が開き戸であるから、図１１に示すように開口部１０を包囲するように縦枠３、３と上枠４が配置され、各縦枠３がそれぞれの側のパネル１の端面に接合される。縦枠３は図１の場合と同じく、図１２に示すように例えばパネル１の端面に突き合わせられ、縦枠３を貫通するねじ１１がパネル１に螺入させられることによってパネル１に接合される。
【００５５】
上枠４は両側の縦枠３、３に跨り、図１２、図１３に示すように両縦枠３、３に、前記したねじ１３とナット１４により接合される。扉２の吊り元側となる縦枠３には丁番等、ヒンジ１９の一端が接続され、ヒンジ１９の他端が縦枠３に接続されることにより、図１０に示すように扉２が吊り元側の縦枠３に支持されたまま開き戸式に開閉する。図１９は扉２に接続されているヒンジ１９の本体を縦枠３に接続されたヒンジ１９の羽根板に連結しようとするときの様子を示す。
【００５６】
この場合も扉２が引き戸の場合と同じく、パネル１の上方位置でねじ１３が上枠４内に挿入されたナット１４に螺入することから、図１２に示すように上枠４の下端がパネル１の上端より上に位置する。これに伴い、図１１、図１２に示すように上枠４の下端には閉鎖している扉２の上端と上枠４との間の隙間を塞ぎ、扉２が閉鎖するときの戸当たりとなる垂下部４ｆが形成されるか、一体化する。同様に各縦枠３の扉２側には戸当たりとしての垂下部４ｆと共に扉２の戸当たりとして機能する張出部３ａが形成されるか、一体化する。
【図面の簡単な説明】
【００５７】
【図１】開口部に引き戸としての扉を収納した場合のパーティションユニットの構成例を示した斜視図である。
【図２】扉がない状態の開口部回りの様子を示した立面図である。
【図３】図２に示す縦枠とパネル、及び上枠の組み立ての様子を示した斜視図である。
【図４】図３に示す開口部への扉の収納の様子を示した斜視図である。
【図５】図２に示す縦枠とパネル、及び上枠との接合の様子を示した立面図である。
【図６】開口部を構成する縦枠とパネル、及び扉の関係を示した平面図である。
【図７】（ａ）は扉が閉鎖しているときの図６のＡ−Ａ線断面図、（ｂ）は同じく扉が閉鎖しているときのＢ−Ｂ線断面図である。
【図８】走行可能な状態にある扉の下端部の様子を示した、開口部の内周側から見た端面図である。
【図９】（ａ）は上枠を示した斜視図、（ｂ）はローラ部材を示した立面図、（ｃ）はストッパを示した斜視図、（ｄ）は案内部材を示した斜視図である。
【図１０】開口部に開き戸としての扉を収納した場合のパーティションユニットの構成例を示した斜視図である。
【図１１】扉がない状態の開口部回りの様子を示した立面図である。
【図１２】図１１に示す縦枠とパネル、及び上枠との接合の様子を示した立面図である。
【図１３】図１１に示す縦枠とパネル、及び上枠の組み立ての様子を示した斜視図である。
【図１４】同一線上で隣接する２枚のパネルを連結する状況を示した斜視図である。
【図１５】直交する２枚のパネルを連結する状況を示した斜視図である。
【図１６】直交する３枚のパネルを連結する状況を示した斜視図である。
【図１７】直交する４枚のパネルを連結する状況を示した斜視図である。
【図１８】柱部材を用いてパネルを連結する状況を示した斜視図である。
【図１９】ヒンジの本体が付いた扉を縦枠に付いたヒンジの羽根板に連結しようとするときの様子を示した立面図である。
【符号の説明】
【００５８】
１………パネル
１ａ……凹部
１ｂ……雌ねじ孔
１ｃ……嵌入孔
１ｄ……雌ねじ孔
１ｅ……雌ねじ孔
２………扉
２ａ……案内溝
３………縦枠
３ａ……張出部
４………上枠
４ａ……挿入孔
４ｂ……垂下部
４ｃ……垂下部
４ｄ……溝
４ｅ……レール
５………連結部材
５０……本体部
５ａ……突起
５ｂ……挿通孔
５ｃ……ねじ孔
６………ねじ
７………アジャスタ
７１……軸部
８………安定脚
９………柱部材
１０……開口部
１１……ねじ
１２……ねじ
１３……ねじ
１４……ナット
１５……ローラ部材
１５ａ…ローラ
１５ｂ…支持部
１６……案内部材
１６ａ…固定部
１６ｂ…案内部
１６ｃ…ねじ
１７……ストッパ
１８……方立
１９……ヒンジ
【図１】
2007198041.tif 000003
【図２】
2007198041.tif 000004
【図３】
2007198041.tif 000005
【図４】
2007198041.tif 000006
【図５】
2007198041.tif 000007
【図６】
2007198041.tif 000008
【図７】
2007198041.tif 000009
【図８】
2007198041.tif 000010
【図９】
2007198041.tif 000011
【図１０】
2007198041.tif 000012
【図１１】
2007198041.tif 000013
【図１２】
2007198041.tif 000014
【図１３】
2007198041.tif 000015
【図１４】
2007198041.tif 000016
【図１５】
2007198041.tif 000017
【図１６】
2007198041.tif 000018
【図１７】
2007198041.tif 000019
【図１８】
2007198041.tif 000020
【図１９】
2007198041.tif 000021